(57)【要約】【課題】インクを用いて飲料用缶の外面に形成する画像の高画質化を図る。【解決手段】ベースコート層ＢＬの上に、星形の形成画像２０１が形成されている。さらに、星形の形成画像２０１の輪郭に沿うように、クリアインク部３０１が設けられている。形成画像２０１の輪郭に沿ってクリアインク部３０１を設けると、形成画像２０１の脇へ、形成画像２０１を構成するインクが移動することが抑制される。これにより、インクの滲み（移動）が起きにくくなり、形成画像２０１の輪郭がぼやけることが抑制される。【選択図】図４
2018079638.tif 000002
【特許請求の範囲】
【請求項１】
飲料用缶の外面にインクを付着させて像を形成する像形成工程と、
前記外面のうちの前記像が形成される箇所の脇に、当該像の輪郭に沿う２列以上のドット像列を形成するドット像列形成工程と、
を備える飲料用缶の製造方法。
【請求項２】
前記２列以上のドット像列に含まれるドット像は、前記飲料用缶の軸方向に沿って並び且つ当該飲料用缶の周方向に沿って並ぶ請求項１に記載の飲料用缶の製造方法。
【請求項３】
前記２列以上のドット像列に含まれるドット像は、千鳥状に配置される請求項１に記載の飲料用缶の製造方法。
【請求項４】
前記２列以上のドット像列が硬化することにより形成される層の厚さが、２μｍ以上である請求項１乃至３の何れかに記載の飲料用缶の製造方法。
【請求項５】
前記２列以上のドット像列は、透明のインクにより形成される請求項１乃至４の何れかに記載の飲料用缶の製造方法。
【請求項６】
前記像形成工程による像の形成が行われる前に、前記２列以上のドット像列の形成が行われる請求項１乃至５の何れかに記載の飲料用缶の製造方法。
【請求項７】
飲料用缶の外面にインクを付着させて、各像の色が異なる複数の像を形成する像形成工程と、
前記各像の形成箇所の脇であって当該各像のうちの他の像に接しない部分の脇に、当該各像を構成するインクの当該脇への移動を抑制するための抑制用インクを付着させるインク付着工程と、
を備える飲料用缶の製造方法。
【請求項８】
前記インク付着工程では、前記各像の形成箇所の脇であって当該各像のうちの他の像に接する部分の脇に、前記抑制用インクの付着を行わない請求項７に記載の飲料用缶の製造方法。
【請求項９】
前記インク付着工程では、前記抑制用インクとして、透明のインクを用いる請求項７又は８に記載の飲料用缶の製造方法。
【請求項１０】
前記インク付着工程では、前記他の像に接していない部分の脇に、前記各像の輪郭に沿う２列以上のドット像列を形成する請求項７乃至９の何れかに記載の飲料用缶の製造方法。
【請求項１１】
前記２列以上のドット像列に含まれるドット像は、前記飲料用缶の軸方向に沿って並び且つ当該飲料用缶の周方向に沿って並ぶ請求項１０に記載の飲料用缶の製造方法。
【請求項１２】
前記２列以上のドット像列に含まれるドット像は、千鳥状に配置される請求項１０に記載の飲料用缶の製造方法。
【請求項１３】
飲料用缶の外面にインクを付着させて像を形成する像形成工程と、
前記外面のうちの前記像が形成される箇所の脇に、当該像を構成するインクの当該脇への移動を抑制するための抑制用インクを付着させるインク付着工程と、
前記像形成工程による前記像の形成後、および、前記インク付着工程による前記抑制用インクの付着後、当該像および当該抑制用インクの上に塗料を塗布する塗料塗布工程と、
を備える飲料用缶の製造方法。
【請求項１４】
飲料用缶の外面にインクを付着させて像を形成する像形成手段と、
前記外面のうちの前記像が形成される箇所の脇に、当該像の輪郭に沿う２列以上のドット像列を形成するドット像列形成手段と、
を備える印刷システム。
【請求項１５】
飲料用缶の外面にインクを付着させて、各像の色が異なる複数の像を形成する像形成手段と、
前記各像の形成箇所の脇であって当該各像のうちの他の像に接しない部分の脇に、当該各像を構成するインクの当該脇への移動を抑制するための抑制用インクを付着させるインク付着手段と、
を備える印刷システム。
【請求項１６】
飲料用缶の外面にインクを付着させて像を形成する像形成手段と、
前記外面のうちの前記像が形成される箇所の脇に、当該像を構成するインクの当該脇への移動を抑制するための抑制用インクを付着させるインク付着手段と、
前記像形成手段による前記像の形成後、および、前記インク付着手段による前記抑制用インクの付着後、当該像および当該抑制用インクの上に塗料を塗布する塗料塗布手段と、
を備える印刷システム。
【請求項１７】
外面と、
前記外面に設けられた像と、
前記外面に設けられ、前記像の輪郭に沿う２列以上のドット像列と、
を備える飲料用缶。
【請求項１８】
外面と、
前記外面に設けられ、各像の色が異なる複数の像と、
前記各像の脇であって当該各像のうちの他の像に接しない部分の脇に設けられ、当該各像を構成するインクの当該脇への移動を抑制するための抑制用インクが硬化したインク層と、
を備える飲料用缶。
【請求項１９】
外面と、
前記外面に設けられた像と、
前記像の脇に設けられ、当該像を構成するインクの当該脇への移動を抑制するための抑制用インクが硬化したインク層と、
前記像および前記インク層の上に設けられた透明層と、
を備える飲料用缶。
【発明の詳細な説明】
【技術分野】
【０００１】
本発明は、飲料用缶の製造方法、印刷システム、および、飲料用缶に関する。
【背景技術】
【０００２】
特許文献１には、インクジェット印刷が少なくとも一つのインクジェット印刷ステーションで行われ、インクジェット印刷ステーションには複数個のインクジェットヘッドが配置されている印刷装置が開示されている。
【先行技術文献】
【特許文献】
【０００３】
【特許文献１】特開２０１２−２３２７７１号公報
【発明の概要】
【発明が解決しようとする課題】
【０００４】
飲料が充填される飲料用缶では、その外面に、文字や図柄などの画像が形成されることが多い。ここで、この画像の形成を、インクを用いて行う場合、缶体への画像形成後に、画像を構成しているインクが外側に拡がり、画像の輪郭がぼやけたりするおそれがある。
本発明の目的は、インクを用いて飲料用缶の外面に形成する画像の高画質化を図ることにある。
【課題を解決するための手段】
【０００５】
本発明が適用される飲料用缶の製造方法は、飲料用缶の外面にインクを付着させて像を形成する像形成工程と、前記外面のうちの前記像が形成される箇所の脇に、当該像の輪郭に沿う２列以上のドット像列を形成するドット像列形成工程と、を備える飲料用缶の製造方法である。
ここで、前記２列以上のドット像列に含まれるドット像は、前記飲料用缶の軸方向に沿って並び且つ当該飲料用缶の周方向に沿って並ぶことを特徴とすることができる。
また、前記２列以上のドット像列に含まれるドット像は、千鳥状に配置されることを特徴とすることができる。
また、前記２列以上のドット像列が硬化することにより形成される層の厚さが、２μｍ以上であることを特徴とすることができる。
また、前記２列以上のドット像列は、透明のインクにより形成されることを特徴とすることができる。
また、前記像形成工程による像の形成が行われる前に、前記２列以上のドット像列の形成が行われることを特徴とすることができる。
【０００６】
他の観点から捉えると、本発明が適用される飲料用缶の製造方法は、飲料用缶の外面にインクを付着させて、各像の色が異なる複数の像を形成する像形成工程と、前記各像の形成箇所の脇であって当該各像のうちの他の像に接しない部分の脇に、当該各像を構成するインクの当該脇への移動を抑制するための抑制用インクを付着させるインク付着工程と、を備える飲料用缶の製造方法である。
ここで、前記インク付着工程では、前記各像の形成箇所の脇であって当該各像のうちの他の像に接する部分の脇に、前記抑制用インクの付着を行わないことを特徴とすることができる。
また、前記インク付着工程では、前記抑制用インクとして、透明のインクを用いることを特徴とすることができる。
また、前記インク付着工程では、前記他の像に接していない部分の脇に、前記各像の輪郭に沿う２列以上のドット像列を形成することを特徴とすることができる。
また、前記２列以上のドット像列に含まれるドット像は、前記飲料用缶の軸方向に沿って並び且つ当該飲料用缶の周方向に沿って並ぶことを特徴とすることができる。
また、前記２列以上のドット像列に含まれるドット像は、千鳥状に配置されることを特徴とすることができる。
【０００７】
他の観点から捉えると、本発明が適用される飲料用缶の製造方法は、飲料用缶の外面にインクを付着させて像を形成する像形成工程と、前記外面のうちの前記像が形成される箇所の脇に、当該像を構成するインクの当該脇への移動を抑制するための抑制用インクを付着させるインク付着工程と、前記像形成工程による前記像の形成後、および、前記インク付着工程による前記抑制用インクの付着後、当該像および当該抑制用インクの上に塗料を塗布する塗料塗布工程と、を備える飲料用缶の製造方法である。
【０００８】
また、本発明を印刷システムと捉えた場合、本発明が適用される印刷システムは、飲料用缶の外面にインクを付着させて像を形成する像形成手段と、前記外面のうちの前記像が形成される箇所の脇に、当該像の輪郭に沿う２列以上のドット像列を形成するドット像列形成手段と、を備える印刷システムである。
【０００９】
他の観点から捉えると、本発明が適用される印刷システムは、飲料用缶の外面にインクを付着させて、各像の色が異なる複数の像を形成する像形成手段と、前記各像の形成箇所の脇であって当該各像のうちの他の像に接しない部分の脇に、当該各像を構成するインクの当該脇への移動を抑制するための抑制用インクを付着させるインク付着手段と、を備える印刷システムである。
【００１０】
他の観点から捉えると、本発明が適用される印刷システムは、飲料用缶の外面にインクを付着させて像を形成する像形成手段と、前記外面のうちの前記像が形成される箇所の脇に、当該像を構成するインクの当該脇への移動を抑制するための抑制用インクを付着させるインク付着手段と、前記像形成手段による前記像の形成後、および、前記インク付着手段による前記抑制用インクの付着後、当該像および当該抑制用インクの上に塗料を塗布する塗料塗布手段と、を備える印刷システムである。
【００１１】
また、本発明を飲料用缶と捉えた場合、本発明が適用される飲料用缶は、外面と、前記外面に設けられた像と、前記外面に設けられ、前記像の輪郭に沿う２列以上のドット像列と、を備える飲料用缶である。
【００１２】
他の観点から捉えると、本発明が適用される飲料用缶は、外面と、前記外面に設けられ、各像の色が異なる複数の像と、前記各像の脇であって当該各像のうちの他の像に接しない部分の脇に設けられ、当該各像を構成するインクの当該脇への移動を抑制するための抑制用インクが硬化したインク層と、を備える飲料用缶である。
【００１３】
他の観点から捉えると、本発明が適用される飲料用缶は、外面と、前記外面に設けられた像と、前記像の脇に設けられ、当該像を構成するインクの当該脇への移動を抑制するための抑制用インクが硬化したインク層と、前記像および前記インク層の上に設けられた透明層と、を備える飲料用缶である。
【発明の効果】
【００１４】
本発明によれば、インクを用いて飲料用缶の外面に形成する画像の高画質化を図ることができる。
【図面の簡単な説明】
【００１５】
【図１】本実施形態に係る飲料用缶の斜視図である。
【図２】飲料用缶の製造工程の一部を示した図である。
【図３】印刷装置の斜視図である。
【図４】（Ａ）、（Ｂ）は、飲料用缶の外周面に形成された形成画像を示した図である。
【図５】（Ａ）〜（Ｃ）は、飲料用缶の断面を示した図である。
【図６】（Ａ）〜（Ｄ）は、クリアインク部を説明する図である。
【図７】実施例、比較例における実験条件を示した図である。
【図８】クリアインク部のドット像の列数、クリアインク部の厚さ、および、形成画像（インク層）の厚さを、様々な値に変更したときの実験結果を示した図である。
【図９】実際の印字結果を示した図である。
【図１０】（Ａ）、（Ｂ）は、他の印刷例を示した図である。
【図１１】印刷装置の他の構成例を示した図である。
【発明を実施するための形態】
【００１６】
以下、添付図面を参照して、本発明の実施の形態について詳細に説明する。
図１は、本実施形態に係る飲料用缶１００の斜視図である。
飲料用缶１００には、円筒状に形成された缶本体２００が設けられている。缶本体２００の上部には、円形の開口２１０が形成されている。また、缶本体２００の下部には、底部２２０が設けられている。また、缶本体２００は、外周面（外面）２３０を備える。
外周面２３０には、インクジェットヘッド（後述）による印刷が施され、外周面２３０には印刷画像が形成されている。
【００１７】
本実施形態では、飲料用缶１００の上部に位置する開口２１０を通じて、飲料用缶１００の内部に、内容物である飲料が充填される。その後、この開口２１０は、不図示の缶蓋により塞がれる。これにより、飲料が充填された飲料缶が完成する。
なお、図１では、飲料用缶１００の詳細な形状の図示は省略し、飲料用缶１００を有底円筒で表現した。より具体的には、飲料用缶１００には、一般的に、フランジを有するネックが設けられたり、飲料用缶１００のボトムには、一般的に、飲料用缶１００の内部方向に凹む円形の凹部が設けられたりするが、図１では、これらの図示を省略している。
【００１８】
飲料用缶１００は、金属材料により形成される。具体的には、飲料用缶１００は、例えば、アルミニウム、アルミニウム合金等により形成される。また、飲料用缶１００は、例えば、ティンフリースチールなどの鉄合金等により形成される。
また、飲料用缶１００は、例えば、平板状の板材を、ドロー＆アイアニング（ＤＩ）成形や、ストレッチドロー成形することにより形成される。
飲料用缶１００の内部に充填される飲料としては、例えば、ビール等のアルコール系飲料や、清涼飲料などの非アルコール系飲料が挙げられる。
【００１９】
図２は、飲料用缶１００の製造工程の一部を示した図である。具体的には、図２では、飲料用缶１００の製造工程に含まれる複数の工程のうちの印刷工程を示している。付言すると、図２では、飲料用缶１００の外面への印刷を行う印刷システムに含まれる各工程を示している。
飲料用缶１００の印刷工程には、図２に示すように、ベースコート層形成工程１０、第１乾燥工程２０、クリア印刷工程３０、第２乾燥工程４０、画像形成工程５０、第３乾燥工程６０、オーバーコート層形成工程７０、第４乾燥工程８０が設けられている。
【００２０】
飲料用缶１００への印刷にあたっては、飲料用缶１００がこれらの工程を順に通過するように飲料用缶１００の搬送を行う。そして、この搬送の過程で、飲料用缶１００に対する各種の処理が行われる。なお、飲料用缶１００の搬送にあたっては、円筒状の支持部材（マンドレル）（後述）を飲料用缶１００の内部に挿入したうえで、飲料用缶１００の搬送を行う。
なお、ベースコート層形成工程１０、第１乾燥工程２０、第２乾燥工程４０は、省略することもできる。
【００２１】
ベースコート層形成工程１０では、飲料用缶１００の外周面２３０（図１参照）に対する、ベースコート層（下地層）の形成が行われる。
ベースコート層を形成することにより、飲料用缶１００の地色を隠蔽することができ、飲料用缶１００の外周面２３０に形成される画像をより鮮明にすることができる。
ベースコート層の形成は、ロールコートにより行う。即ち、飲料用缶１００の軸方向に沿うように配置され且つ表面に塗料が付着したロール状部材を、飲料用缶１００の外周面２３０に接触させて、飲料用缶１００にベースコート層を形成する。
【００２２】
ベースコート層は、主として樹脂により形成される。
樹脂としては、ポリエステル／エポキシ／アミノ系樹脂及びポリエステル／アクリル／アミノ系樹脂等を使用することができる。また、紫外線硬化型塗料によりベースコート層を形成してもよく、この場合は、光重合開始剤を含有させたエポキシ／ポリエチレン系樹脂等が使用できる。
また、飲料用缶１００の金属色を打ち消すために、添加剤として白色顔料を添加してもよい。また、ベースコート層の厚さは、例えば、２μｍ〜１５μｍとすることができる。
【００２３】
次いで、本実施形態では、第１乾燥工程２０にて、ベースコート層の乾燥が行われる。第１乾燥工程２０では、飲料用缶１００の加熱あるいは飲料用缶１００への紫外線の照射が行われ、ベースコート層の乾燥（硬化）が行われる。
その後、本実施形態では、クリア印刷工程３０にて、ベースコート層の上に、クリアインク（無色透明なインク）を用いたクリア印刷が行われ、ベースコート層の上に、クリアインク部（詳細は後述）が形成される。
ここで、本実施形態では、クリアインクとして、紫外線硬化型のインクを用いる。ベースコート層の上にクリアインク部を形成すると、ベースコート層の上に、土手の役割を果たす機能部が設けられ、インクの滲みが生じにくくなる（詳細は後述）。
【００２４】
次いで、本実施形態では、第２乾燥工程４０にて、飲料用缶１００の外周面に紫外線が照射され、クリアインク部の硬化が行われる。
クリアインク部の硬化を行うと、土手の役割を果たすクリアインク部がしっかりと形成されて、滲みを防止する効果（後述）が向上する。その一方で、第２乾燥工程４０を設けると、生産効率が低下するおそれがある。このため、第２乾燥工程４０は、省略してもよい。
【００２５】
次いで、本実施形態では、像形成工程の一例としての画像形成工程５０にて、飲料用缶１００の外周面２３０に対して、カラーのインクを吐出して、飲料用缶１００の外周面２３０に、文字、図柄などから構成される画像（以下、「形成画像」と称する）を形成する。
ここで、本実施形態では、形成画像の厚さ（カラーインクの厚さ）は、例えば、２〜５μｍとなる。
【００２６】
ここで、形成画像の形成に用いるインクは、４０℃における粘度が、５ｍＰａ・ｓ以上３０ｍＰａ・ｓ以下の範囲であることが好ましく、５ｍＰａ・ｓ以上２０ｍＰａ・ｓ以下の範囲であることがより好ましい。インクの４０℃における粘度をこのような範囲とすることで、インクジェットヘッド（後述）からインクを吐出する際に、良好な吐出安定性を実現することができる。なお、インクの粘度は、コーンプレート型粘度計を用いて測定することができる。
【００２７】
また、形成画像の形成に用いるインクは、２５℃における表面張力が、２２ｍＮ／ｍ以上３６ｍＮ／ｍ以下の範囲であることが好ましい。インクの２５℃における表面張力をこのような範囲とすることで、インクジェットヘッドからインクを吐出する際に、良好な吐出安定性を実現することができる。
【００２８】
その後、本実施形態では、第３乾燥工程６０にて、飲料用缶１００に対する紫外線の照射が再び行われて、画像形成工程５０にて形成された形成画像の硬化が行われる。
次いで、本実施形態では、オーバーコート層形成工程７０にて、飲料用缶１００の外周面の全体に亘って一様に塗料が塗布され、飲料用缶１００の最外層に、透明層の一例としてのオーバーコート層（透明な保護層）が形成される。ここで、オーバーコート層の形成は、ベースコート層の形成と同様に、ロールコートにより行う。
【００２９】
オーバーコート層の形成に用いる塗料としては、アルキッド樹脂系、アクリル樹脂系、ビニル樹脂系、ポリエステル樹脂系、アミノ樹脂系、ポリウレタン樹脂系、エポキシ樹脂系の塗料が挙げられる。
これらの中でも、塗膜硬度および耐水性の観点から、アミノ樹脂系の塗料を用いることが最も好ましい。
【００３０】
図３は、印刷装置５００の斜視図である。
本実施形態では、クリア印刷工程３０および画像形成工程５０の各々に、図３に示す印刷装置５００が設けられている。
より具体的には、クリア印刷工程３０には、１台の印刷装置５００が設けられ、画像形成工程５０には、４台の印刷装置５００が設けられている。
画像形成工程５０では、ＹＭＣＫ（イエロー、マゼンタ、シアン、黒）の４色のインクを用いて画像の形成を行うが、画像形成工程５０では、この４色のインクを吐出可能なように、図３に示す印刷装置５００が４台設けられている。
【００３１】
ここで、画像形成工程５０に設けられた４台の印刷装置５００は、像形成手段として機能し、飲料用缶１００の外周面２３０にインクを付着させて、形成画像、インク層（後述）を形成する。
また、画像形成工程５０では、飲料用缶１００を順次搬送するとともに、飲料用缶１００の搬送方向に、４台の印刷装置５００が並べられ、飲料用缶１００が搬送されていく過程で、ＹＭＣＫの４色のインクを用いての画像形成が行われる。
【００３２】
より具体的には、本実施形態では、飲料用缶１００の搬送方向上流側から搬送方向下流側に向かって、例えば、イエローの印刷装置５００、マゼンタの印刷装置５００、シアンの印刷装置５００、黒の印刷装置５００が順に並んでいる。
そして、本実施形態では、各印刷装置５００に飲料用缶１００が達する度に、飲料用缶１００が停止し、停止している飲料用缶１００へのインクの吐出が行われる。なお、飲料用缶１００へインクの吐出が行われる際、飲料用缶１００は、周方向に回転している。
【００３３】
図３に示すように、印刷装置５００には、インクジェットヘッド４００が設けられている。このインクジェットヘッド４００は、順次搬送されてくる飲料用缶１００の上方に位置する。また、インクジェットヘッド４００は、飲料用缶１００の軸方向に沿うように配置されている。なお、上記のとおり、飲料用缶１００は、円筒状の支持部材（マンドレル）６００により支持されている。
また、インクジェットヘッド４００の底部には、飲料用缶１００の軸方向に沿って並ぶ複数のインク吐出口６１０が設けられている。
【００３４】
インク吐出口６１０は、複数列設けられている（図３では、３列分のみ図示）。
言い換えると、本実施形態では、インク吐出口６１０が一列に並んだインク吐出口列が、複数設けられている。さらに、本実施形態では、互いに隣り合う２つのインク吐出口列において、インク吐出口６１０が千鳥状に配置されている。
【００３５】
より具体的には、本実施形態では、インクジェットヘッド４００の長手方向における位置を比較した場合に、一のインク吐出口列に含まれる各インク吐出口６１０の位置と、この一のインク吐出口列の隣に位置する他のインク吐出口列に含まれる各インク吐出口６１０の位置とがずれている。
付言すると、インクジェットヘッド４００の長手方向において、一のインク吐出口列に含まれる各インク吐出口６１０は、他のインク吐出口列に含まれ互いに隣接する２つのインク吐出口６１０の間に位置する。
なお、インク吐出口６１０は、千鳥状に配置する場合に限らず、図１１（印刷装置５００の他の構成例を示した図）に示すように、飲料用缶１００の軸方向に沿って直線状に並べ且つ飲料用缶１００の周方向に沿って直線状に並べてもよい。付言すると、インク吐出口６１０は、インクジェットヘッド４００の長手方向および短手方向に沿って直線状に並べてもよい。言い換えると、図１１に示す実施形態では、複数のインク吐出口６１０を格子状に配置している。
さらに説明すると、図１１に示す構成例では、インクジェットヘッド４００の長手方向における位置を比較した場合に、一のインク吐出口列に含まれる各インク吐出口６１０の位置と、この一のインク吐出口列の隣に位置する他のインク吐出口列に含まれる各インク吐出口６１０の位置とが揃っている。
【００３６】
クリア印刷工程３０および画像形成工程５０の各々では、不図示の駆動機構によって、支持部材６００が周方向に回転し、これに伴い、飲料用缶１００が周方向に回転する。
そして、周方向に回転しているこの飲料用缶１００の外周面２３０に対して、インク（クリアインク、カラーのインク）の吐出が行われる。
【００３７】
さらに、本実施形態の印刷装置５００には、インクジェットヘッド４００におけるインクの吐出を制御する印刷制御部５１０が設けられている。印刷制御部５１０は、プログラム制御されたＣＰＵ（Central Processing Unit）により構成されている。
本実施形態では、印刷制御部５１０によりインクジェットヘッド４００が制御され、インク吐出口６１０から、下方に位置し周方向に回転している飲料用缶１００に対してインクが吐出される。これにより、飲料用缶１００の外周面２３０に、クリアインク部（後述）や形成画像が形成される。
【００３８】
図４（Ａ）、（Ｂ）は、飲料用缶１００の外周面２３０に形成された形成画像を示した図である。
図４（Ａ）に示す例では、ベースコート層ＢＬの上に、星形の形成画像２０１が形成されている。さらに、図４（Ａ）に示す例では、星形の形成画像２０１を囲むように且つこの星形の形成画像２０１に接するように、クリアインク部３０１が形成されている。
【００３９】
本実施形態では、クリアインク部３０１も星形に形成され、このクリアインク部３０１の内側に、星形の形成画像２０１が形成されている。
さらに説明すると、本実施形態では、星形の形成画像２０１の輪郭（外周部）２０１Ａに沿うように、クリアインク部３０１が設けられている。
【００４０】
図４（Ｂ）に示す他の例では、星形のベースコート層ＢＬが露出しており、この星型のベースコート層ＢＬの部分が、星型の抜き画像となっている。そして、図４（Ｂ）に示す例では、この星型の抜き画像の周囲に、画像形成工程５０にて吐出されたインクにより形成されたインク層４０１が設けられている。
さらに、図４（Ｂ）に示す例では、インク層４０１に接する箇所であって星形の抜き画像に臨む箇所に、クリアインク部３０１が設けられている。言い換えると、星形の抜き画像の周囲に、インク層４０１に接するクリアインク部３０１が設けられている。
【００４１】
飲料用缶１００の外周面２３０に、本実施形態のような形成画像２０１や抜き画像を形成する場合、クリアインク部３０１がないと、インクの滲みに起因して、形成画像２０１や抜き画像の輪郭がぼやけたりする。
これに対し、本実施形態のように、形成画像２０１の輪郭に沿ってクリアインク部３０１を設けると、形成画像２０１の脇へ、形成画像２０１を構成するインクが移動することが抑制される。また、インク層４０１の輪郭（抜き画像の輪郭）に沿ってクリアインク部３０１を設けると、インク層４０１の脇へ（抜き画像の内部へ）、インク層４０１を構成するインクが移動することが抑制される。
【００４２】
これにより、インクの滲み（移動）が起きにくくなり、形成画像２０１や抜き画像の輪郭がぼやけることが抑制される。
なお、クリアインク部３０１は、形成画像２０１やインク層４０１を形成する前に形成することが好ましいが、形成画像２０１やインク層４０１を形成した後に、クリアインク部３０１を形成することもできる。
【００４３】
図５（Ａ）〜（Ｃ）は、飲料用缶１００の断面を示した図である。
図５（Ａ）に示す例では、黒色の形成画像２０１が形成され、さらに、この黒色の形成画像２０１の周囲に、クリアインク部３０１が設けられている。
ここで、クリアインク部３０１には、２列のドット像列が設けられている。言い換えると、本実施形態では、クリアインク部３０１にて、ドット状の像（ドット像）が形成され、さらに、このドット像が、形成画像２０１の脇に２列分形成される。
【００４４】
より具体的には、この例では、形成画像２０１が形成されている箇所の脇に、この形成画像の輪郭２０１Ａに沿う２列のドット像列が形成されている。
これにより、本実施形態では、形成画像２０１に近い側に一列分のドット像が形成され、このドット像を挟み形成画像２０１が位置する側とは反対側に、もう一列分のドット像が形成された状態となっている。
ここで、クリアインク部３０１に形成されるドット像列は、ドット像列形成工程の一例としてのクリア印刷工程３０（図２参照）にて形成される。より具体的には、クリアインク部３０１に形成されるドット像列は、クリア印刷工程３０に設けられた、ドット像列形成手段の一例としての印刷装置５００により形成される。
【００４５】
さらに、本実施形態では、形成画像２０１、クリアインク部３０１よりも外側に（飲料用缶１００の径方向における外側に）（形成画像２０１、クリアインク部３０１の上に）、オーバーコート層ＯＬが設けられている。
オーバーコート層ＯＬは、塗料塗布工程の一例としてのオーバーコート層形成工程７０（図２参照）にて、飲料用缶１００の最外層に塗料が塗布されることにより形成される。
より具体的には、オーバーコート層形成工程７０には、塗料塗布手段の一例としてのロール状部材が設けられており、塗料が付着したこのロール状部材を、飲料用缶１００の外周面２３０に接触させて、飲料用缶１００の最外層に、オーバーコート層ＯＬを形成する。
【００４６】
本実施形態では、このオーバーコート層ＯＬと、飲料用缶１００との間に、形成画像２０１、クリアインク部３０１、ベースコート層ＢＬが設けられた構成となっている。
付言すると、本実施形態では、オーバーコート層ＯＬと、飲料用缶１００との間に、形成画像２０１、クリアインク部３０１、ベースコート層ＢＬが封入された状態となっている。
【００４７】
図５（Ｂ）に示す例では、カラーの形成画像２０１が形成され、さらに、このカラーの形成画像２０１の周囲に、クリアインク部３０１が設けられている。
この例でも、クリアインク部３０１に、２列分のドット像が設けられている。また、上記と同様、オーバーコート層ＯＬと、飲料用缶１００との間に、形成画像２０１、クリアインク部３０１、ベースコート層ＢＬが封入された状態となっている。
なお、図５（Ａ）、（Ｂ）にて示した例では、クリアインク部３０１のドット像が２列分設けられている場合を説明したが、ドット像は、３列以上設けてもよい。また、ベースコート層ＢＬのうちのインクが載らない部分（画像形成工程５０による画像形成が行われない部分）の全てに、クリアインクを載せてもよい。言い換えると、形成画像２０１や抜き画像の輪郭の脇の部分のみに限らず、この脇の部分以外に、クリアインクを載せてもよい。
【００４８】
図５（Ｃ）に示す例では、抜き画像が形成され、この抜き画像の周囲に、インク層４０１が設けられた状態となっている。さらに、インク層４０１のうちの抜き画像に臨む部分に接するように、クリアインク部３０１が設けられている。
このクリアインク部３０１でも、上記と同様、ドット像が２列分設けられている。また、図５（Ｃ）に示すこの例でも、オーバーコート層ＯＬと、飲料用缶１００との間に、インク層４０１、クリアインク部３０１、ベースコート層ＢＬが封入された状態となっている。
なお、上記と同様、図５（Ｃ）に示す例でも、クリアインク部３０１のドット像は、３列以上設けてもよい。また、抜き画像の全体にクリアインクが載るように、クリアインク部３０１を形成してもよい。
【００４９】
図６（Ａ）〜（Ｄ）は、クリアインク部３０１を説明する図である。
図６（Ａ）は、図５（Ａ）の矢印ＶＩＡ方向からクリアインク部３０１を眺めた場合の図である。
本実施形態では、上記のとおり、クリアインク部３０１では、クリアインクにより形成されたドット像が２列分設けられる。また、図６（Ａ）では、図３にて示した印刷装置５００を用いた場合のクリアインク部３０１を示している。図３にて示した印刷装置５００では、インク吐出口６１０（図３参照）が千鳥状に配置されており、この場合、２列のドット像も千鳥状に配置される。
【００５０】
言い換えると、ドット像列が延びる方向において、一方のドット像列に含まれ互いに隣接する２つのドット像の間に、他方のドット像列に含まれるドット像が位置する。付言すると、本実施形態では、ドット像列が延びる方向において、一方のドット像列に含まれるドット像と、他方のドット像列に含まれるドット像との間に重なりが生じるようになる。
また、本実施形態では、一方のドット像列に含まれ互いに隣接する２つのドット像の間に、他方のドット像列に含まれるドット像の一部が入り込むようになる。
図６（Ｄ）は、図１１にて示した印刷装置５００を用いた場合のクリアインク部３０１を示している。図１１にて示した印刷装置５００では、インク吐出口６１０（図１１参照）が、飲料缶１００の軸方向および周方向に沿って並んで配置されており、この場合、２列のドット像に含まれる各ドット像も、飲料缶１００の軸方向および周方向に沿って並んで配置される。
なお、飲料缶１００の軸方向および周方向に沿うドット像は、図１１にて示した印刷装置５００に限らず、図３にて示した印刷装置５００でも形成できる。具体的には、例えば、図３の符号３Ａで示す列に含まれるインク吐出口６１０を用いずに、図３にて符号３Ｂ、３Ｃで示す列に含まれるインク吐出口６１０を用いることで、飲料缶１００の軸方向および周方向に沿うドット像を形成できる。
【００５１】
ここで、例えば、図６（Ｂ）に示すように、ドット像列が一列であり且つドット像間に間隙があると、この間隙を通ってインクが移動しやすく、インクのにじみが生じやすくなる。
例えば、必要となる全てのドット像列を吐出した場合であってもインクの吐出圧が低い場合、インクの液滴が小さくなり、これに伴い、ドット像が小さくなる。この場合、図６（Ｂ）に示すように、ドット像間に間隙が生じやすくなり、この間隙を通ってインクが移動しやすくなる。そして、この場合、インクの滲みが生じやすくなる。
【００５２】
また、図６（Ｃ）に示すように、ドット像間に間隙が無い場合であっても、ドット像列が一列であると、互いに隣り合う２つのドット像間に位置する谷間の部分を通ってインクが移動しやすく、インクの滲みが生じやすくなる。
必要となる全てのドット像列を吐出しなかった場合であっても、インクの吐出圧を高くした場合、インクの液滴が大きくなり、これに伴い、ドット像が大きくなる。この場合でも、ドット像間に間隙が生じることを防止できる。しかしながら、間隙が無くても、ドット像列が一列であると、上記のとおり、谷間の部分を通ってインクが移動しやすく、インクの滲みが生じやすくなる。
これに対し、図６（Ａ）、（Ｄ）にて示した本実施形態の構成では、互いに隣接するドット像が重なることにより（２列のドット像列の一方のドット像列に含まれるドット像と、他方のドット像列に含まれるドット像とが重なることにより）、一つのドット像列にて互いに隣り合う２つのドット像間に位置する谷間の高さが、図６（Ｂ）、（Ｃ）にて示した態様における谷間の高さよりも大きくなる。この場合、谷間の部分をインクが通りにくくなり、インクの滲みが生じにくくなる。
【００５３】
続いて、実施例について説明する。
発明者は、図２にて示した工程を用い（ベースコート層形成工程１０〜第４乾燥工程８０に含まれる各工程での処理を順次行い）、飲料用缶１００への印刷を行った。そして、印刷により得られた形成画像２０１、抜き画像の評価（滲みの評価）を行った。
【００５４】
図７は、滲みの評価を行った際の実験条件を示した図である。
飲料用缶１００への印刷にあたっては、ベースコート層ＢＬ、クリアインク部３０１、形成画像２０１、オーバーコート層ＯＬの厚みは、それぞれ、１３μｍ、１．５〜４μｍ、２〜４μｍ、３〜４μｍとした。
また、ベースコート層ＢＬ、オーバーコート層ＯＬは、ロールコートを用いて形成した。また、クリアインク部３０１、形成画像２０１、インク層４０１は、インクジェットヘッド４００（図３参照）を用いて形成した。
【００５５】
また、ベースコート層ＢＬ、クリアインク部３０１、形成画像２０１（インク層４０１）、オーバーコート層ＯＬは、それぞれ、ポリエステル／アクリル系樹脂、変性アクリル系樹脂、変性アクリル系樹脂、アミノ樹脂系により形成した。
また、形成画像２０１（インク層４０１）の形成は、紫外線硬化型インクを用いて行った。より具体的には、アクリレート系の単官能モノマー、アクリレート系の多官能モノマー、光重合開始剤、着色剤からなる変性アクリル樹脂系のインクを用いて行った。
【００５６】
また、クリアインク部３０１の形成は、形成画像２０１（インク層４０１）の形成に用いたインクと同様の組成を有するインクであって、着色剤を含有していないインクを用いて行った。
また、ベースコート層ＢＬ、形成画像２０１（インク層４０１）、オーバーコート層ＯＬの乾燥は、それぞれ、２００℃乾燥炉、紫外線（ＵＶ）照射、遠赤外線照射により行った。
【００５７】
また、クリアインク部３０１については、形成画像２０１（インク層４０１）とともに硬化させた。
言い換えると、形成画像２０１（インク層４０１）の硬化の際に、クリアインク部３０１にも紫外線を照射し、形成画像２０１（インク層４０１）とともにクリアインク部３０１を硬化させた。
【００５８】
また、クリアインク部３０１の形成に用いるインクの特性は、４０℃における粘度が、６〜８ｍＰａ・ｓであり、２５℃における表面張力が、３０ｍＮ／ｍ〜３５ｍＮ／ｍであった。
また、形成画像２０１（インク層４０１）の形成に用いるインクの特性は、シアン、マゼンタ、イエロー、黒の何れの色のインクにおいても、上記と同様、４０℃における粘度が、６〜８ｍＰａ・ｓであり、２５℃における表面張力が、３０ｍＮ／ｍ〜３５ｍＮ／ｍであった。
【００５９】
また、ベースコート層ＢＬは、白色とし、また、上記のとおり、厚さを１３μｍとした。
また、オーバーコート層ＯＬは、透明とし、さらに、上記のとおり、３〜４μｍの厚さとした。但し、図８及び図９にて示す実験（後述）を行う際には、オーバーコート層ＯＬの形成を行わなかった。付言すると、発明者は、図８及び図９にて示す実験以外の実験も行ったが、この実験（図８及び図９にて示す実験以外の実験）の際には、オーバーコート層ＯＬを形成した。その一方で、図８及び図９にて示す実験（後述）を行う際には、オーバーコート層ＯＬの形成を行わなかった。
また、この実験では、図９に示すように、文字を印字し、この文字の滲みを観察した。
【００６０】
図８は、クリアインク部３０１のドット像の列数、クリアインク部３０１の厚さ、および、形成画像２０１（インク層４０１）の厚さを、様々な値に変更したときの実験結果を示した図である。
なお、この実験では、クリアインク部３０１のドット像の列数を、１列、２列、３列の３種類とした。また、クリアインク部３０１の厚さを、１．５μｍ、２μｍ、３μｍ、４μｍの４種類とした。また、形成画像２０１（インク層４０１）の厚さを、２μｍ、３μｍ、４μｍの３種類とした。
また、クリアインク部３０１では、図６（Ｄ）に示したように、ドット像を、飲料用缶１００の軸方向および周方向に沿って直線状に並べた。
なお、以下で説明する実験結果では、ドット像を、飲料用缶１００の軸方向および周方向に沿って並べた場合の実験結果を示すが、図６（Ａ）のようにドット像を千鳥状に配置した場合も、ドット像を、飲料用缶１００の軸方向および周方向に沿って並べた場合と同様の結果が得られた。
【００６１】
ここで、クリアインク部３０１、形成画像２０１（インク層４０１）の厚さは、変更可能であり、クリアインク部３０１、形成画像２０１（インク層４０１）の厚さの変更は、インクジェットヘッド４００からのインクの吐出量を調整して行う。
より具体的には、単位時間当たりに吐出するインク液滴の数を変え、あるいは、インクの液滴の大きさを変えることで、クリアインク部３０１、形成画像２０１（インク層４０１）の厚さを変更する。
【００６２】
なお、クリアインク部３０１の厚さ、形成画像２０１（インク層４０１）の厚さについては、飲料用缶１００のうちの、クリアインク部３０１、形成画像２０１（インク層４０１）が設けられている部分を切り取って樹脂に埋め込んだ後、顕微鏡により断面観察を行いながら５か所の膜厚を測定し、そして、平均膜厚を、クリアインク部３０１の厚さ、形成画像２０１（インク層４０１）の厚さとした。
【００６３】
図８を参照し、実験結果について説明する。
図８に示すように、クリアインク部３０１のドット像列が１列の場合は、全ての条件において「×（滲みが大きい）」という結果となり、クリアインク部３０１の厚さや、形成画像２０１（インク層４０１）の厚さに関わらず、滲みが大きいものとなった。
一方で、クリアインク部３０１のドット像が２列以上となると、「△（滲みあり）」、または、「○（滲みはわずか）」という結果となり、滲みを防止する効果が得られた。
【００６４】
また、今回の実験では、クリアインク部３０１の厚さ（クリアインク部３０１の硬化後の厚さ）を、２μｍ以上（より好ましくは３μｍ以上）とすることが好ましい旨が判明した。
クリアインク部３０１の厚さが、１．５μｍの場合は、クリアインク部３０１のドット像列が２列あるいは３列であるかにかかわらず、「△」という結果となったが、２μｍ以上とすると、「△〜○（滲みは小さい）」という結果が得られた。また、３μｍ以上とすると、「○（滲みはわずか）」という結果が得られた。
【００６５】
図９は、実際の印字結果を示した図である。
具体的には、図９では、図８の（２）〜（８）、（１０）〜（１３）の各条件における、実際の印刷結果を示し、また、図９の（１）、（９）では、クリアインク部３０１を全く形成しなかった場合の印刷結果を示している。
また、図９の「通常文字」とは、文字の部分が形成画像２０１により形成された文字を示し、「抜き文字」とは、文字の部分が抜き画像により形成された文字を指す。
【００６６】
また、図９の符号９Ａの部分は、クリアインク部３０１を形成していない場合の結果を示し、符号９Ｂは、クリアインク部３０１のドット像列が１列である場合の結果を示し、符号９Ｃは、クリアインク部３０１のドット像列が２列、３列である場合の結果を示している。また、この実験では、通常文字を、５ポイント、６ポイントで形成し、また、抜き文字を、５ポイントで形成した。
【００６７】
実験結果を説明すると、クリアインク部３０１が全く無く、且つ、通常文字の場合は、図９の（１）に示すように、文字の全周囲に滲みが発生し且つ滲みが拡がった。
また、クリアインク部３０１が無く、且つ、抜き文字の場合は、図９の（９）に示すように、抜き文字のほとんどの部分に、周囲に位置するインク層４０１のインクが侵入して、抜き文字の大部分がインクにより覆われた。
【００６８】
また、クリアインク部３０１のドット像列が１列であり、且つ、通常文字の場合は、図９の（２）に示すように、文字の周囲に滲みが発生し且つ滲みが拡がっており、文字の輪郭が崩れている部分が多くなった。
また、クリアインク部３０１のドット像列が１列であり、かつ、抜き文字の場合も、（１０）に示すように、抜き文字内へインクが侵入し、文字の輪郭が崩れている部分が多くなった。
【００６９】
これに対し、クリアインク部３０１のドット像列が２列であり、かつ、通常文字の場合、図９の（３）〜（８）に示すように、クリアインク部３０１が無い場合や、クリアインク部３０１のドット像列が１列の場合に比べ、文字の輪郭がはっきりしている。
また、クリアインク部３０１のドット像列が３列であり、かつ、抜き文字の場合も、図９の（１１）〜（１３）に示すように、クリアインク部３０１が無い場合や、クリアインク部３０１のドット像列が１列の場合に比べ、抜き文字内へのインクの侵入が抑えられ、文字の輪郭がはっきりした。
【００７０】
また、クリアインク部３０１の厚さが２μｍの場合（図９の（４）、（７）、（１２）の場合）、クリアインク部３０１の厚さが１．５μｍの場合（図９の（３）、（６）、（１１）の場合）に比べ、滲みが小さくなった。
また、クリアインク部３０１の厚さが３μｍの場合（図９の（５）、（８）、（１３）の場合）、さらに滲みが小さくなり、輪郭がより明確となった。
【００７１】
なお、図９に示した例では、５ポイント、６ポイントの通常文字、５ポイントの抜き文字を印刷したが、その他に、１ポイント〜１４ポイントの文字の印刷も行い、滲みの状態を確認した。結果は、上記と同様であり、クリアインク部３０１のドット像列が２列以上であると、滲みが小さくなり、文字の輪郭がはっきりした。
なお、文字のポイントが大きくなると（たとえば１０ポイント以上となると）、文字に対する滲み部分の割合が小さくなり、文字が読めなくなるという不具合は生じないが、クリアインク部３０１を形成しない場合、文字の輪郭がぼやけるという不具合は依然として生じた。
【００７２】
また、図９では、文字の滲みについての実験を行ったが、文字ではなく模様の場合も、上記と同様の効果が得られ、通常模様や、抜き模様の場合も、クリアインク部３０１を形成することで、滲みが生じにくくなった。
また、ベースコート層ＢＬの有無に関わらず、図８、図９にて示した結果が得られた。言い換えると、ベースコート層ＢＬがある飲料用缶１００、ベースコート層ＢＬがない飲料用缶１００の２種類の飲料用缶１００を用意して、上記にて説明した実験を行ったが、何れの飲料用缶１００であっても、図８、図９にて示した結果と同様の結果が得られた。
【００７３】
図１０（Ａ）、（Ｂ）は、他の印刷例を示した図である。
図１０（Ａ）では、上記と同様に、星形の形成画像２０１（以下、「星形形成画像２０１Ｓ」と称する。）を形成している。さらに、この例では、星形形成画像２０１Ｓに隣接するように、丸い形成画像２０１（以下、「丸形形成画像２０１Ｃ」と称する）を形成している。なお、星形形成画像２０１Ｓの色と、丸形形成画像２０１Ｃの色とは異なっている。
【００７４】
付言すると、この例では、像形成工程の一例としての画像形成工程５０にて、飲料用缶１００の外周面２３０にインクを付着させて、色が互いに異なる星形形成画像２０１Ｓ、丸形形成画像２０１Ｃの２つの形成画像２０１を形成した。
言い換えると、画像形成工程５０にて、飲料用缶１００の外周面２３０にインクを付着させて、この外周面２３０に、互いに色が異なる複数の形成画像２０１を形成した。
【００７５】
また、図１０（Ａ）に示す例では、星形形成画像２０１Ｓの周りの全てに亘ってクリアインク部３０１を形成せずに、丸形形成画像２０１Ｃに接する部分では、クリアインク部３０１を形成していない。
同様に、丸形形成画像２０１Ｃの周りの全てに亘ってクリアインク部３０１を形成せずに、星形形成画像２０１Ｓに接する部分では、クリアインク部３０１を形成していない。
言い換えると、星形形成画像２０１Ｓと丸形形成画像２０１Ｃとの間には、クリアインク部３０１を形成していない。
【００７６】
さらに説明すると、図１０（Ａ）に示す例では、インク付着工程の一例としてのクリア印刷工程３０にて、形成画像２０１（星形形成画像２０１Ｓ、丸形形成画像２０１Ｃ）の脇の部分にクリアインクを付着させて、クリアインク部３０１を形成するが、図１０（Ａ）に示す例では、形成画像２０１のうち他の形成画像２０１に接しない部分の脇へのクリアインクの付着を行っている。その一方で、図１０（Ａ）に示す例では、他の形成画像２０１に接する部分の脇へのクリアインクの付着は行っていない。
【００７７】
付言すると、クリアインクは抑制用インクとして機能し、クリア印刷工程３０では、形成画像２０１のうちの他の形成画像２０１に接しない部分の脇に、この抑制用インクを付着させる。これにより、形成画像２０１を構成するインクの、形成画像２０１の脇への移動が抑制され、形成画像２０１の輪郭が崩れることが抑制される。
その一方で、図１０（Ａ）に示す例では、形成画像２０１のうちの他の形成画像２０１に接する部分の脇への抑制用インクの付着は行わない。
【００７８】
さらに説明すると、クリア印刷工程３０では、インク付着手段の一例としての印刷装置５００が、形成画像２０１のうちの他の形成画像２０１に接しない部分の脇に、クリアインクを付着させる。その一方で、印刷装置５００は、形成画像２０１のうちの他の形成画像２０１に接する部分の脇へのクリアインクの付着は行わない。
【００７９】
さらに説明すると、図１０（Ａ）に示す例では、星形形成画像２０１Ｓの脇であって、丸形形成画像２０１Ｃに接しない部分の脇に、クリアインク部３０１を形成する。その一方で、星形形成画像２０１Ｓの脇であって、丸形形成画像２０１Ｃに接する部分の脇には、クリアインク部３０１を形成しない。
同様に、図１０（Ａ）に示す例では、丸形形成画像２０１Ｃの脇であって、星形形成画像２０１Ｓに接しない部分の脇に、クリアインク部３０１を形成する。その一方で、丸形形成画像２０１Ｃの脇であって、星形形成画像２０１Ｓに接する部分の脇には、クリアインク部３０１を形成しない。
【００８０】
ここで、図１０（Ａ）に示す例では、星形形成画像２０１Ｓのうちの丸形形成画像２０１Ｃに接する部分の脇（横）には、この丸形形成画像２０１Ｃが位置する。このため、星形形成画像２０１Ｓのうちの丸形形成画像２０１Ｃに接する部分の脇に、クリアインク部３０１を形成しないでも、星形形成画像２０１Ｓを構成するインクの移動は抑制される。
同様に、丸形形成画像２０１Ｃのうちの星形形成画像２０１Ｓに接する部分の脇（横）には、この星形形成画像２０１Ｓが位置する。このため、丸形形成画像２０１Ｃのうちの星形形成画像２０１Ｓに接する部分の脇に、クリアインク部３０１を形成しないでも、丸形形成画像２０１Ｃを構成するインクの移動は抑制される。
【００８１】
なお、星形形成画像２０１Ｓと丸形形成画像２０１Ｃとの間に、クリアインク部３０１を形成することを排除するものではなく、星形形成画像２０１Ｓと丸形形成画像２０１Ｃとの間に、クリアインク部３０１を形成してもよい。
この場合、星形形成画像２０１Ｓを構成しているインクと、丸形形成画像２０１Ｃを構成しているインクとの混色を抑えられるようになる。
なお、図１０（Ａ）に示す例でも、クリアインク部３０１に、上記と同様、２列分以上のドット像列が設けられている。
【００８２】
図１０（Ｂ）では、星形の抜き画像の中に、上記と同様、丸形形成画像２０１Ｃが形成されている。丸形形成画像２０１Ｃは、抜き画像の周囲に位置するインク層４０１に接するように設けられている。
図１０（Ｂ）に示す例でも、インク層４０１のうちの丸形形成画像２０１Ｃに接しない部分の脇に、クリアインク部３０１を形成している。
その一方で、インク層４０１のうちの丸形形成画像２０１Ｃに接する部分の脇への、クリアインク部３０１の形成は行っていない。
【００８３】
また、丸形形成画像２０１Ｃについても、丸形形成画像２０１Ｃのうちのインク層４０１に接しない部分の脇に、クリアインク部３０１を形成している。
その一方で、丸形形成画像２０１Ｃのうちのインク層４０１に接する部分の脇への、クリアインク部３０１の形成は行っていない。
言い換えると、図１０（Ｂ）に示す例でも、上記と同様、丸形形成画像２０１Ｃとインク層４０１との間には、クリアインク部３０１が設けられていない。
【００８４】
この例でも、丸形形成画像２０１Ｃのうちの、他の像（インク層４０１）の接していない部分の脇には、クリアインク部３０１が設けられ、これにより、丸形形成画像２０１の輪郭がぼやけることが抑制される。また、丸形形成画像２０１Ｃのうちの、他の像（インク層４０１）に接する部分の脇には、この他の像が位置しており、この他の像によっても、丸形形成画像２０１Ｃを構成するインクの移動が抑制される。
同様に、インク層４０１のうちの、他の像（丸形形成画像２０１Ｃ）の接していない部分の脇には、クリアインク部３０１が設けられ、これにより、インク層４０１の輪郭がぼやけることが抑制される。また、インク層４０１のうちの、他の像（丸形形成画像２０１Ｃ）に接する部分の脇には、この他の像が位置しており、この他の像によっても、インク層４０１を構成するインクの移動が抑制される。
【００８５】
なお、上記と同様、丸形形成画像２０１Ｃとインク層４０１との間にクリアインク部３０１を形成することを排除するものではなく、丸形形成画像２０１Ｃとインク層４０１との間にクリアインク部３０１を形成してもよい。この場合、丸形形成画像２０１Ｃを構成しているインクと、インク層４０１のインクとの混色を抑えられる。
また、図１０（Ｂ）に示す例でも、クリアインク部３０１には、２列分以上のドット像列が設けられている。
【００８６】
（その他）
図４にて示した形態では、形成画像２０１や抜き画像の全周に亘って、クリアインク部３０１を形成したが、必ずしも全周に亘ってクリアインク部３０１を形成する必要はなく、形成画像２０１や抜き画像の輪郭の一部にのみ接するようにクリアインク部３０１を形成してもよい。
輪郭の一部を敢えてあいまいにしたい場合もあり、この場合は、クリアインク部３０１を省略することで、輪郭の一部をあいまいにすることができる。
【００８７】
また、文字列の周囲にクリアインク部３０１を形成する場合には、文字毎に、文字の周囲にクリアインク部３０１を形成してもよいし、文字列をひとまとめとし、この文字列の周囲にクリアインク部３０１を形成するようにしてもよい。
また、ドット像列は、３列以上形成してもよい。また、ベースコート層ＢＬのうちのインクが載らない部分（画像形成工程５０による画像形成が行われない部分）の全てに、クリアインクを載せてもよい。言い換えると、形成画像２０１や抜き画像の輪郭の脇の部分のみに限らず、この脇の部分以外に、クリアインクを載せてもよい。
【符号の説明】
【００８８】
３０…クリア印刷工程、５０…画像形成工程、１００…飲料用缶、２０１…形成画像、２０１Ｃ…丸形形成画像、２０１Ｓ…星形形成画像、２３０…外周面（外面）、３０１…クリアインク部、５００…印刷装置
【図１】
2018079638.tif 000003
【図２】
2018079638.tif 000004
【図３】
2018079638.tif 000005
【図４】
2018079638.tif 000006
【図５】
2018079638.tif 000007
【図６】
2018079638.tif 000008
【図７】
2018079638.tif 000009
【図８】
2018079638.tif 000010
【図９】
2018079638.tif 000011
【図１０】
2018079638.tif 000012
【図１１】
2018079638.tif 000013